(57)【要約】【課題】組み立てようとする筐体の後方や上方に、組み立てのための十分な作業空間を確保できない場合でも、簡単かつ迅速に組み立てることができ、構造を簡単とした中仕切を有する収納家具、およびその簡単な組立方法を提供する。【解決手段】底板１の両側端部に、後端に互いに内方を向く係合片２１を設けた左右１対の側板２の下端部を取付けた後、底板１上に、後端に左右方向を向く係合片２８を設けた１または複数の中仕切６を立設し、側板２と中仕切６、または互いに隣接する１対の中仕切６により挟まれた収容空間Ａ１・・・の前方より、左右幅を、各収容空間の左右幅とほぼ同一か、またはそれより小とした単位後面板３Ａ・・・を、両側部が係合片２１、２６に当接するまで後方に押し入れ、その後、左右の側板２の上端間に天板４を架設する。【選択図】  図２
2015150398.tif 000002
【特許請求の範囲】
【請求項１】
底板と、
下端部が前記底板の両側端部に取付けられ、かつ後端に互いに内方を向く係合片が設けられた左右１対の側板と、
前記側板との間、または相互間に適宜の間隔を置くようにして前記底板上に立設されることにより、左右の側板間に複数の収容空間を形成し、かつ後端に左右方向を向く係合片が設けられた１または複数の中仕切と、
左右幅を、前記各収容空間の左右幅とほぼ同一か、またはそれより小とし、かつ両側部に、前記側板の係合片または中仕切の係合片の前面に当接することにより、側板および中仕切の後端より後方への移動が阻止されるようにした取付部が形成された複数の単位後面板と、
左右の側板の上端間に架設された天板
とを備えることを特徴とする中仕切を有する収納家具。
【請求項２】
側板の係合片および中仕切の係合片を、それぞれ、左右方向を向く折曲片の遊端に前向片を連設した平面視Ｌ字状とし、かつ各単位後面板の取付部を、後向片の遊端に、外側方を向く折曲片を連設した平面視Ｌ字状とし、このＬ字状の取付部を、Ｌ字状の係合片内に前方より嵌合した請求項１記載の中仕切を有する収納家具。
【請求項３】
側板の係合片および中仕切の係合片における前向片の前端に、外側方を向く折り返し片を連設し、この折り返し片の後縁に、各単位後面板の取付部における後向片に設けた係止爪を係合させて、各単位後面板の前方への移動を阻止するようにした請求項２記載の中仕切を有する収納家具。
【請求項４】
各単位後面板の下端に、後向片の後端に下向片を連設してなる側面視倒立Ｌ字状の係合片を設け、前記後向片を底板の上面に当接させ、かつ前記下向片を底板の後端面に当接させた請求項１〜３のいずれかに記載の中仕切を有する収納家具。
【請求項５】
各単位後面板の上端に、後向片の後端に上向片を連設してなる側面視Ｌ字状の係合片を設け、前記後向片を天板の下面に当接させ、かつ前記上向片を天板の後端面に当接させた請求項１〜４のいずれかに記載の中仕切を有する収納家具。
【請求項６】
底板の側面とそれに対向する側板の内側面とのいずれか一方に有頭ピンを突設し、かつそれに対向する他方のものに、前記有頭ピンの拡大頭部が挿通しうる大径部と前記有頭ピンの軸部は挿通しうるが拡大頭部は挿通できない小径部とを前後方向に並べて連設してなる係合孔を設け、さらに、前記側板の内側面に、前記有頭ピンの軸部が前記係合孔の小径部に係合したときに、前記底板の上面に当接しうるようにした水平片を設け、前記有頭ピンの軸部が前記係合孔の小径部に係合したときに、前記水平片に設けたねじ挿通孔が、底板の上面に設けたねじ孔に整合するようにした請求項１〜５のいずれかに記載の中仕切を有する収納家具。
【請求項７】
底板の上面と水平片とのいずれか一方または両方に、有頭ピンの拡大頭部が係合孔の大径部に挿通しうる位置に側板が位置していることを示す目印を付設した請求項６記載の中仕切を有する収納家具。
【請求項８】
底板の両側端部に、後端に互いに内方を向く係合片を設けた左右１対の側板の下端部を取付けた後、前記底板上に、後端に左右方向を向く係合片を設けた１または複数の中仕切を、前記側板との間、または相互間に適宜の間隔を置くようにして立設し、前記側板と中仕切、または互いに隣接する１対の中仕切により挟まれた収容空間の前方より、左右幅を、各収容空間の左右幅とほぼ同一か、またはそれより小とした単位後面板を、両側部が前記係合片に当接するまで後方に押し入れ、その後、左右の側板の上端間に天板を架設することを特徴とする中仕切を有する収納家具の組立方法。
【請求項９】
側板の係合片および中仕切の係合片を、それぞれ、左右方向を向く折曲片の遊端に前向片を連設した平面視Ｌ字状とし、かつ各単位後面板の取付部を、後向片の遊端に、外側方を向く折曲片を連設した平面視Ｌ字状とし、各単位後面板を各収容空間内において後方に移動させたとき、前記Ｌ字状の取付部を、Ｌ字状の係合片内に前方より嵌合させることを特徴とする請求項８記載の中仕切を有する収納家具の組立方法。
【請求項１０】
側板の係合片および中仕切の係合片における前向片の前端に、外側方を向く短寸の折り返し片を連設し、各単位後面板を各収容空間内において後方に移動させたとき、前記折り返し片の後縁に、各単位後面板の取付部における後向片に設けた係止爪を係合させて、各単位後面板の前方への移動を阻止させることを特徴とする請求項９記載の中仕切を有する収納家具の組立方法。
【請求項１１】
各単位後面板の下端に、後向片の後端に下向片を連設してなる側面視倒立Ｌ字状の係合片を設け、各単位後面板を、下端が上端より後方に位置するように斜めとして、各収容空間内において後方に移動させ、前記下向片を底板の後端より後方に突出させた後、前記各単位後面板を起立させることにより、前記下向片を底板の後端面に当接させることを特徴とする請求項８〜１０のいずれかに記載の中仕切を有する収納家具の組立方法。
【請求項１２】
底板の側面とそれに対向する側板の内側面とのいずれか一方に突設した有頭ピンを、それに対向するように他方のものに設けた係合孔における前記有頭ピンの拡大頭部が挿通しうる大径部に嵌合し、次いで、前記有頭ピンの軸部が、前記係合孔における大径部の前後いずれかに並ぶように連設した、前記有頭ピンの軸部は挿通しうるが拡大頭部は挿通できない小径部に係合するように、前記側板を前後方向に移動させ、そのとき、側板の内側面に設けた水平片を底板の上面に当接させて、前記側板を底板上に支持させ、さらに、前記水平片に設けたねじ挿通孔に挿通した止めねじを、前記底板の上面に設けたねじ孔に螺合して締め付けることにより、前記水平片を底板に固着することを特徴とする請求項８〜１１のいずれかに記載の中仕切を有する収納家具の組立方法。
【発明の詳細な説明】
【技術分野】
【０００１】
本発明は、中仕切を有する収納家具およびその組立方法に関する。
【背景技術】
【０００２】
中仕切を有するロッカーその他の従来の収納家具は、底板上に左右の側板を立設した後、その後面に後面板を取付け、次いで、底板上の左右の側板間に、１枚または複数枚の中仕切を立設して、その後端を後面板に取付け、その後天板を取り付けた後、前面に、複数の扉を取り付けているのが一般的である(例えば特許文献１〜３参照)。
なお、後面板を取付ける前、または中仕切を取付ける前に、天板を両側板の上端間に先に取り付けておくこともある。
【０００３】
また、両側板の内側面の後部に、上下方向を向く係合レール部をなす折曲片を設け、これに、後面板の両側端に設けた係合レール部を、上方よりスライドさせて差し込むようにしたものもある(例えば特許文献４参照)。
【先行技術文献】
【特許文献】
【０００４】
【特許文献１】特開平１１−２２１１２５号公報
【特許文献２】特開平１０−２９５４５４号公報
【特許文献３】特開２００６−１２９９１９号公報
【特許文献４】特開２００６−１８７４０１号公報
【発明の概要】
【発明が解決しようとする課題】
【０００５】
上記のような従来の収納家具の組立方法によると、中仕切を後面板に取付ける際、互いに隣接する中仕切間、または中仕切と側板との間の狭い空間を通して、中仕切の後端と後面板との結合作業を行わなければならず、その作業性が悪く、作業が面倒である。
特に、中仕切の高い位置の後端に設けた取付片を、後面板に設けたスリット等に嵌合させたり、その状態で、下部の取付片を、後面板や底板に設けたスリット等に嵌合させたり、ねじ止めしたりする作業が困難を極めている。
【０００６】
上記の作業性を向上させるため、特許文献２に記載されているように、天板と底板と後面板と両側板とを組み合わせて形成した箱体を、開口が上方を向くようにして、水平の当て板上に倒伏させて、中仕切の取付け作業を行うことも知られているが、このように、箱体を倒伏させたり起立させたりすること自体に大きな労力を要し、作業性がよいとは言い難い。
【０００７】
さらに、特許文献４に記載されているものにおいては、両側板の折曲片に後面板の係合レール部を上方よりスライドさせて差し込む関係から、折曲片や係合レール部の加工精度を高くしなければ、円滑に差し込むことができなかっり、後面板が大重量の場合は、後面板を、一人の作業者では両側板より上方に持ち上げることができない等の問題がある。
【０００８】
本発明は、従来の技術が有する上記のような問題点に鑑みてなされたもので、組み立てようとする筐体の後方や上方に、組み立てのための十分な作業空間を確保できない場合でも、簡単かつ迅速に組み立てることができ、構造が簡単で、しかも組立前の構成材料を容易に搬送しうるようにした、中仕切を有する収納家具、およびその簡単な組立方法を提供することを目的としている。
【課題を解決するための手段】
【０００９】
本発明によると、上記課題は、次のようにして解決される。
（１）中仕切を有する収納家具において、底板と、下端部が前記底板の両側端部に取付けられ、かつ後端に互いに内方を向く係合片が設けられた左右１対の側板と、前記側板との間、または相互間に適宜の間隔を置くようにして前記底板上に立設されることにより、左右の側板間に複数の収容空間を形成し、かつ後端に左右方向を向く係合片が設けられた１または複数の中仕切と、左右幅を、前記各収容空間の左右幅とほぼ同一か、またはそれより小とし、かつ両側部に、前記側板の係合片または中仕切の係合片の前面に当接することにより、側板および中仕切の後端より後方への移動が阻止されるようにした取付部が形成された複数の単位後面板と、左右の側板の上端間に架設された天板とを備えるものとする。
【００１０】
このような構成によると、左右の側板や中仕切の下端部を底板に取り付けた後、各単位後面板を、左右の中仕切同士、または中仕切と側板との間に形成される収容空間を通して、組み立て途中の筐体の前方から後方に向けて挿入し、各単位後面板の両側部を左右の側板または中仕切の後端に設けた係止片に係止させた後、それらの上端に天板を取付けることにより、筐体を簡単に組み立てることができ、特に、各単位後面板を、筐体の前方から簡単に組み付けることができるので、組み立てようとする筐体の後方や上方に組み立てのための十分な作業空間を確保できない場合でも、組み立て作業を簡単に行うことができる。
しかも、筐体の各構成要素の構造を簡素化し、安価に製造することができるだけでなく、後面板を、幅狭の複数の単位後面板に分割してあるので、組立前の構成材料をコンパクトに梱包して、容易に搬送することができる。
【００１１】
（２）上記(１)項において、側板の係合片および中仕切の係合片を、それぞれ、左右方向を向く折曲片の遊端に前向片を連設した平面視Ｌ字状とし、かつ各単位後面板の取付部を、後向片の遊端に、外側方を向く折曲片を連設した平面視Ｌ字状とし、このＬ字状の取付部を、Ｌ字状の係合片内に前方より嵌合する。
【００１２】
このような構成によると、各単位後面板の両側部におけるＬ字状の取付部を、Ｌ字状の係合片に前方より嵌合することにより、各単位後面板の後方への脱落を防止しうるだけでなく、左右の中仕切同士、または中仕切と側板との相互の左右方向の位置ずれやがたつきを確実に防止することができる。
【００１３】
（３）上記(２)項において、側板の係合片および中仕切の係合片における前向片の前端に、外側方を向く折り返し片を連設し、この折り返し片の後縁に、各単位後面板の取付部における後向片に設けた係止爪を係合させて、各単位後面板の前方への移動を阻止するようにする。
【００１４】
このような構成によると、折り返し片の後縁に、各単位後面板の取付部における後向片に設けた係止爪が係合することにより、各単位後面板の前方への移動が阻止され、上記(２)項の構成と相俟って、各単位後面板の前後左右の動きが確実に規制され、組立後の筐体の剛性を高めることができる。
また、各単位後面板を、組み立て途中の筐体に、前方から押し込むだけで、簡単に組み付けることができ、筐体の組立作業性を高めることができる。
【００１５】
（４）上記(１)〜(３)項のいずれかにおいて、各単位後面板の下端に、後向片の後端に下向片を連設してなる側面視倒立Ｌ字状の係合片を設け、前記後向片を底板の上面に当接させ、かつ前記下向片を底板の後端面に当接させる。
【００１６】
このような構成によると、係合片における後向片により、各単位後面板の荷重を底板の上面に安定よく受止させることができ、また係合片における下向片を底板の後端面に当接させることにより、各単位後面板の下端部の前方への移動を確実に阻止することができる。
【００１７】
（５）上記(１)〜(４)項のいずれかにおいて、各単位後面板の上端に、後向片の後端に上向片を連設してなる側面視Ｌ字状の係合片を設け、前記後向片を天板の下面に当接させ、かつ前記上向片を天板の後端面に当接させる。
【００１８】
このような構成によると、係合片における後向片により、天板を確実に受止することができ、また係合片における上向片を天板の後端面に当接させることにより、各単位後面板の上端部の前方への移動を確実に阻止することができる。
【００１９】
（６）上記(１)〜(５)項のいずれかにおいて、底板の側面とそれに対向する側板の内側面とのいずれか一方に有頭ピンを突設し、かつそれに対向する他方のものに、前記有頭ピンの拡大頭部が挿通しうる大径部と前記有頭ピンの軸部は挿通しうるが拡大頭部は挿通できない小径部とを前後方向に並べて連設してなる係合孔を設け、さらに、前記側板の内側面に、前記有頭ピンの軸部が前記係合孔の小径部に係合したときに、前記底板の上面に当接しうるようにした水平片を設け、前記有頭ピンの軸部が前記係合孔の小径部に係合したときに、前記水平片に設けたねじ挿通孔が、底板の上面に設けたねじ孔に整合するようにする。
【００２０】
このような構成によると、各側板を、底板に簡単に取り付けることができる。
すなわち、各側板の下端部を、有頭ピンの拡大頭部が係合孔の大径部に嵌合するようにして、底板の側端面に当接させ、次いで、有頭ピンの軸部が係合孔の小径部に係合するように、各側板を前後方向に移動させる。
すると、各側板の水平片が底板の上面に当接して、各側板の支持が安定するとともに、このとき、水平片に設けたねじ挿通孔が、底板の上面に設けたねじ孔に整合するので、このねじ挿通孔を通して、止めねじをねじ孔に螺合して、水平片を底板の上面に簡単に締め付けることができる。
【００２１】
（７）上記(６)項において、底板の上面と水平片とのいずれか一方または両方に、有頭ピンの拡大頭部が係合孔の大径部に挿通しうる位置に側板が位置していることを示す目印を付設する。
【００２２】
このような構成によると、目印を手がかりにして、各側板の下端部を底板の側端面に当接させるだけで、有頭ピンの拡大頭部を、目視することなく、係合孔の大径部に簡単に嵌合することができる。
【００２３】
（８）中仕切を有する収納家具の組立方法において、底板の両側端部に、後端に互いに内方を向く係合片を設けた左右１対の側板の下端部を取付けた後、前記底板上に、後端に左右方向を向く係合片を設けた１または複数の中仕切を、前記側板との間、または相互間に適宜の間隔を置くようにして立設し、前記側板と中仕切、または互いに隣接する１対の中仕切により挟まれた収容空間の前方より、左右幅を、各収容空間の左右幅とほぼ同一か、またはそれより小とした単位後面板を、両側部が前記係合片に当接するまで後方に押し入れ、その後、左右の側板の上端間に天板を架設する。
【００２４】
このような方法によると、筐体を簡単に組み立てることができ、特に、各単位後面板を、筐体の前方から簡単に組み付けることができるので、組み立てようとする筐体の後方や上方に組み立てのための十分な作業空間を確保できない場合でも、組み立て作業を簡単に行うことができる。
【００２５】
（９）上記(８)項において、側板の係合片および中仕切の係合片を、それぞれ、左右方向を向く折曲片の遊端に前向片を連設した平面視Ｌ字状とし、かつ各単位後面板の取付部を、後向片の遊端に、外側方を向く折曲片を連設した平面視Ｌ字状とし、各単位後面板を各収容空間内において後方に移動させたとき、前記Ｌ字状の取付部を、Ｌ字状の係合片内に前方より嵌合させる。
【００２６】
このような方法によると、各単位後面板の両側部におけるＬ字状の取付部を、Ｌ字状の係合片に前方より嵌合することにより、各単位後面板の後方への脱落を防止しうるだけでなく、左右の中仕切同士、または中仕切と側板との相互の左右方向の位置ずれやがたつきを確実に防止することができる。
【００２７】
(10)  上記(９)項において、側板の係合片および中仕切の係合片における前向片の前端に、外側方を向く短寸の折り返し片を連設し、各単位後面板を各収容空間内において後方に移動させたとき、前記折り返し片の後縁に、各単位後面板の取付部における後向片に設けた係止爪を係合させて、各単位後面板の前方への移動を阻止させる。
【００２８】
このような方法によると、折り返し片の後縁に、各単位後面板の取付部における後向片に設けた係止爪が係合することにより、各単位後面板の前方への移動が阻止され、上記(９)項の方法と相俟って、各単位後面板の前後左右の動きが確実に規制され、組立後の筐体の剛性を高めることができる。
また、各単位後面板を、組み立て途中の筐体に、前方から押し込むだけで、簡単に組み付けることができ、筐体の組立作業性をさらに高めることができる。
【００２９】
(11)  上記(８)〜(10)項のいずれかにおいて、各単位後面板の下端に、後向片の後端に下向片を連設してなる側面視倒立Ｌ字状の係合片を設け、各単位後面板を、下端が上端より後方に位置するように斜めとして、各収容空間内において後方に移動させ、前記下向片を底板の後端より後方に突出させた後、前記各単位後面板を起立させることにより、前記下向片を底板の後端面に当接させる。
【００３０】
このような方法によると、各単位後面板を、下端が上端より後方に位置するように斜めとすることにより、各収容空間内に容易に押し入れることができ、しかも、その先端の係合片を、底板の後端角部に係合させ易く、さらに、係合片を底板の後端角部に係合させた後、各単位後面板を、両側部の取付部が係合片に当接するまで、下端部を支点として起立させるだけで、簡単に正規の組立位置へ移動させることができ、組立作業性を高めることができる。
【００３１】
(12)  上記(８)〜(11)項のいずれかにおいて、底板の側面とそれに対向する側板の内側面とのいずれか一方に突設した有頭ピンを、それに対向するように他方のものに設けた係合孔における前記有頭ピンの拡大頭部が挿通しうる大径部に嵌合し、次いで、前記有頭ピンの軸部が、前記係合孔における大径部の前後いずれかに並ぶように連設した、前記有頭ピンの軸部は挿通しうるが拡大頭部は挿通できない小径部に係合するように、前記側板を前後方向に移動させ、そのとき、側板の内側面に設けた水平片を底板の上面に当接させて、前記側板を底板上に支持させ、さらに、前記水平片に設けたねじ挿通孔に挿通した止めねじを、前記底板の上面に設けたねじ孔に螺合して締め付けることにより、前記水平片を底板に固着する。
【００３２】
このような方法によると、各側板を、底板の側面に、簡単かつ迅速に取付けることができる。
【発明の効果】
【００３３】
本発明によると、組み立てようとする筐体の後方や上方に、組み立てのための十分な作業空間を確保できない場合でも、簡単かつ迅速に組み立てることができ、構造が簡単で、しかも組立前の構成材料を容易に搬送しうるようにした、中仕切を有する収納家具、およびその簡単な組立方法を提供することができる。
【図面の簡単な説明】
【００３４】
【図１】本発明の中仕切を有する収納家具の一実施形態における１個の扉を開いた状態を斜め前方より見た外観斜視図である。
【図２】同じく、扉を外した状態の分解斜視図である。
【図３】底板に側板を取付ける前の状況を斜め前方より見た筐体下部の斜視図である。
【図４】同じく、取付け途中の状況を斜め前方より見た斜視図である。
【図５】同じく、ねじ止め時の状況を斜め前方より見た斜視図である。
【図６】１個の中仕切を取付けるときの状況を斜め前方より見た筐体下部の斜視図である。
【図７】１個の単位後面板を取付けるときの状況を斜め前方より見た斜視図である。
【図８】図２におけるVIII部の拡大斜視図である。
【図９】１個の単位後面板を取付けた後の筐体下部を斜め後方より見た斜視図である。
【図１０】天板を取付けるときの状況を斜め前方より見た筐体上部の斜視図である。
【図１１】同じく、そのときの天板の角部を内方より見た斜視図である。
【図１２】同じく、天板と１個の中仕切の上端部との関係を斜め前下方より見た斜視図である。
【図１３】同じく、天板と側板とのねじ止め時の状況を斜め前下方より見た斜視図である。
【図１４】筐体に１個の扉を取付けるときの状況を斜め前方より見た斜視図である。
【図１５】図１４におけるXV部の詳細を示す拡大斜視図である。
【図１６】上棚を斜め後上方より見た斜視図である。
【図１７】下棚を斜め後上方より見た斜視図である。
【図１８】筐体に上棚および下棚を取付けるときの状況を斜め前方より見た斜視図である。
【図１９】筐体に上棚および下棚を取付けた状態を実線で、かつ取付け途中の状態を２点鎖線で示す要部の拡大縦断側面図である。
【図２０】図１９のXX−XX線に沿う横断平面形状を模式的に示す図である。
【発明を実施するための形態】
【００３５】
以下、本発明の中仕切を有する収納家具の一実施形態を、図面を参照して説明する。
図１は、本発明の中仕切を有する収納家具の一実施形態における１個の扉を開いた状態を斜め前方より見た外観斜視図、図２は、同じく、扉を外した状態の分解斜視図である。
【００３６】
この収納家具は、スチール製の組立式ロッカーとしてあり、平面視方形の底板１と、左右１対の側板２、２と、後面板３と、天板４とによって構成された筐体５と、この筐体５内に、左右の側板２、２との間、または相互間に適宜の間隔を置くようにして底板１上に立設されることにより、左右の側板２、２間に複数の収容空間Ａ１、Ａ２、Ａ３を形成するようにした１または複数の中仕切６と、各収容空間Ａ１、Ａ２、Ａ３の前方に開閉可能に設けられた複数の扉７とを備えている。
図示の例では、中仕切６を２個とし、収容空間および扉７を３個としてあるが、中仕切６を１個もしくは３個以上としたり、または中仕切６を全く設けないこともあり、扉７の数も、形成される収容空間Ａ１・・・の数に合わせて、１個、２個、または４個以上とすることもある。
【００３７】
底板１は、平面視方形の上面板１ａと、その前端、後端、および両側端より垂下する前片１ｂ、後片１ｃ、および両側片１ｄ、１ｄとを備えている。
左右の側片１ｄの前後部には、各側板２の下部内面に突設した有頭ピン８の拡大頭部８ａの外径より大径とした大径部９ａと、有頭ピン８の軸部８ｂの外径より大径、かつ拡大頭部８ａの外径より小径とした小径部９ｂとを前後方向に並べて連設してなる洋梨形の係合孔９が、大径部９ａに対して小径部９ｂが後斜め下方に位置するようにしてそれぞれ設けられている。
【００３８】
各側板２の内面における前後の有頭ピン８、８よりわずかに上方の部分には、内方を向く前後方向に長い水平片１０が設けられており、前後の有頭ピン８の拡大頭部８ａを、係合孔９における大径部９ａに嵌合し、その状態から、有頭ピン８の軸部８ｂが係合孔９における小径部９ｂに係合するように各側板２を後下方に移動させたとき、上記水平片１０が底板１の上面に当接するようにしてある。
【００３９】
各側板２の水平片１０には、有頭ピン８の軸部８ｂが係合孔９における小径部９ｂに係合し、かつ水平片１０が底板１の上面に当接したとき、底板１の上面における前部に設けたねじ孔１１と整合するようにしたねじ挿通孔１２が設けられている。
【００４０】
底板１の上面におけるねじ挿通孔１２の前方には、側板２が、有頭ピン８の拡大頭部８ａと係合孔９の大径部９ａとが整合する位置に位置したとき、水平片１０のねじ挿通孔１２と左右方向に整合するようにした、位置決め用の目印となる位置決め孔１３が設けられている。
この位置決め孔１３に代えて、単なるマークとしたり、水平片１０にも、ねじ挿通孔１２に代えて、上記マークと整合するようにしたマークを付設してもよい。
【００４１】
底板１における上面板１ａの四隅に近い部分には、上面板１ａの下方に設けた不陸調整用のアジャスタ１４(図３参照)を操作するための４個の作業孔１５が設けられている。
【００４２】
また、底板１における上面板１ａの前部には、後述する各中仕切６の前部下端に設けられた下向き突片３０が嵌合される左右方向に長い長方形の左右２個の係合孔１６、１６が、同じく上面板１ａの後部には、後述する各中仕切６の後端寄りの下端に設けられた下向き突片３１が嵌合される前後方向に長いスリット状の左右２個の係合孔１７、１７が、左右の側板２、２と相互間とに適宜の間隔を置いてそれぞれ設けられている。
【００４３】
さらに、上面板１ａの前部における両側部には、後述する扉７のヒンジ軸５２を受止するための１個の軸受孔１８が、また各係合孔１６の前方には、左右１対の軸受孔１８、１８が設けられている。これらの合計６個の軸受孔１８を設けたのは、各収容空間Ａ１、Ａ２、Ａ３の前方に、開き勝手の異なる扉７を選択的に取付けることができるようにするためである。
【００４４】
各側板２は、縦長の長方形の化粧板１９の前端に、ほぼ角筒状の縦框２０が設けられ、同じく後端に、筐体５の内方を向くほぼ平面視Ｌ字状の係合片２１が設けられ、同じく下端部に、縦框２０と係合片２１との下端部同士を連結する上向きコ字状断面の下枠２２とその上方の上記水平片１０とが設けられ、同じく上端部に、縦框２０と係合片２１との上端部同士を連結するほぼ角筒状の上枠２３が設けられたものよりなっている。
【００４５】
縦框２０の前面と内側面との角部には、扉７の側端部を収容するための凹入段部２０ａが形成されている。
各側板２の後端の係合片２１は、化粧板１９の後端から筐体５の内方を向く折曲片２１ａと、その遊端より前方を向く前向片２１ｂと、その前端より外側方を向く短寸の折り返し片２１ｃとからなっている。
【００４６】
各側板２の下枠２２の内側面に、上記の前後１対の有頭ピン８、８が突設されており、同じく上枠２３の内側面の後部には、上記有頭ピン８と同様の有頭ピン２４が突設され、また上枠２３の内側面の前部には、ねじ孔２５が設けられている。
【００４７】
各中仕切６は、縦長の長方形の仕切板２６の前端に、角筒状をなして左右方向に突出する縦框２７が設けられ、同じく後端に、平面視Ｌ字状をなして左右両方向に突出する係合片２８、２８が設けられ、同じく上端に、右方または左方に直角に折曲された折曲片２９が設けられたものよりなっている。
【００４８】
各係合片２８は、仕切板２６の後端から右方および左方を向く折曲片２８ａと、その遊端より前方を向く前向片２８ｂと、その前端より仕切板２６の方向を向く短寸の折り返し片２８ｃとからなっている。
【００４９】
縦框２７の下端には、前述した底板１の係合孔１６に嵌合される底面視コ字状の下向き突片３０が、また仕切板２６の後端部の下端には、底板の係合孔１７に嵌合される、前後方向に長い下向き突片３１が設けられている。
【００５０】
また、縦框２７の上端には、後述する天板４の上框４４の下面に設けた係合孔４７に下方より嵌合する上向き突片３２が設けられ、仕切板２６の後端上部には、天板４の後枠４５が嵌合するようにした方形の切欠き３３が設けられている。
【００５１】
後面板３は、左右幅を各収容空間Ａ１、Ａ２、Ａ３の左右幅とほぼ同一か、またはそれより小とした複数の単位後面板３Ａ、３Ｂ、３Ｃからなるものとして、各収容空間Ａ１、Ａ２、Ａ３内に配設されている。
【００５２】
各単位後面板３Ａ(各単位後面板３Ａ、３Ｂ、３Ｃは、互いに同一構造であるので、以下の説明においては、単位後面板３Ａのみについて説明する)は、縦長の長方形の基板３４の左右の端部に、後向片３５ａの遊端に、外側方を向く折曲片３５ｂを連設してなる平面視Ｌ字状の取付部３５が設けられ、同じく下端に、後向片３６ａの後端に下向片３６ｂを連設してなる側面視倒立Ｌ字状の係合片３６が設けられ、同じく上端に、後向片３７ａの後端に上向片３７ｂを連設してなる側面視Ｌ字状の係合片３７が設けられたものよりなっている。
【００５３】
各基板３４の上下部には、基板３４の一部を前方に向けて平面視台形状に打ち出すことにより形成した上下方向を向く係合孔とした左右１対の棚用の受け部３８が設けられている。
【００５４】
また、各取付部３５の後向片３５ａの上下複数箇所には、図８に示すように、後向きコ字状の切り込み３９を設けることにより形成した前方を向く弾性舌片４０の前端部中央に、左右の後向片３５ａ、３５ａより互いに対向する方向に三角形をなして突出する係止爪４１が設けられている。
この係止爪４１と等高をなす折曲片３５ｂの遊縁には、目印のための浅い切欠き４２が設けられている。
【００５５】
各収容空間Ａ１に、各単位後面板３Ａを前方より挿入して、後方に向けて押し入れたとき、各単位後面板３Ａの左右の取付部３５、３５が、側板２の係合片２１および中仕切６の係合片２８(中央の単位後面板３Ｂにおいては、左右の中仕切６の係合片２８)に嵌合され、各取付部３５の折曲片３５ｂが係合片２１、２８における折曲片２１ａ、２８ａに当接すると、各係止爪４１が係合片２１、２８における折り返し片２１ｃ、２８ｃの遊端部の後縁に係合し、各単位後面板３Ａの前後方向の移動が阻止されるようになっている。
【００５６】
天板４は、平面視方形の水平板４３の前端に、下方に向けてＪ字状に折曲形成された上框４４が設けられ、同じく後端に、下方に向けてＬ字状に折曲形成された後枠４５が設けられ、同じく左右の両側端に、下方に向けてＪ字状に折曲形成された側枠４６、４６が設けられたものよりなっている。
【００５７】
上框４４は、水平板４３の前端より垂下する前片４４ａと、その下端から後方を向く下片４４ｂと、その後端から上方を向く上向片４４ｃとからなり、下片４４ｂには、底板１の上面板１ａにおける２個の係合孔１６、１６と６個の軸受孔１８とに上下に対応する２個の係合孔４７、４７と６個の軸受孔４８とが設けられている。
【００５８】
各側枠４６の後端部には、後端および後枠４５に亘って開口する横向きＵ字状の係合溝４９が設けられており、また各側枠４６の前端部には、ねじ挿通孔５０が設けられている。
【００５９】
天板４の水平板４３には、各収容空間Ａ１、Ａ２、Ａ３に連通するように、３個の配線挿通孔５１と、それを開閉する着脱可能なキャップ５１ａとが設けられている。
【００６０】
３枚の扉７は、この例ではいずれも左開きタイプのものとしてあり、右端部の上下面より上下方向に突出するヒンジ軸５２、５２を、対応する天板４の軸受孔４８および底板１の軸受孔１８に嵌合することにより、筐体５の前面に左右方向に並べて設けられている。
各ヒンジ軸５２は、扉７の上下面より出没自在に設けられ、かつ内蔵したばね(図示略)の作用により、突出する方向に付勢されている。
【００６１】
各扉７の前面には、把手５３と施錠装置５４とが設けられ、後面には、鏡５５、傘立て５６、しずく受け５７等(図１参照)が設けられているが、それらは本発明には直接関係しないので、詳細な説明は省略する。
【００６２】
各収容空間Ａ１、Ａ２、Ａ３の上下部には、上棚(棚板)５８と下棚(棚板)５９とが設けられている。
上棚５８および下棚５９は、図１６および図１７に示すように、前方に開口する平面視コ字状のフレーム６０の前部を除くほぼ３分の２の範囲に亘って、互いに平行をなす複数の横桟６１の両端部を溶接することにより形成されている。
【００６３】
フレーム６０の後端部には、それぞれが左右２個(１個または３個以上とすることもある)の下向き係止片６２ａ、６２ａを備える左右１対の係止部６２が設けられている。
【００６４】
フレーム６０の左右１対の前端部は、各棚５８、５９の前端より突出する左右１対の前向き突軸６３、６３とし、上棚５８における左右の前向き突軸６３、６３の前端部には、下向き折曲部６３ａ、６３ａが、また下棚５９における左右の前向き突軸６３、６３の前端部には、上向き折曲部６３ｂ、６３ｂがそれぞれ設けられている。
なお、この下向き折曲部６３ａ、６３ａおよび上向き折曲部６３ｂ、６３ｂは、省略して実施することもある。
【００６５】
上棚５８におけるフレーム６０の前後方向の中間部には、正面視倒立台形状または上向きコ字状をなすハンガー受け６４の両端部が溶接されている。
【００６６】
次に、この中仕切を有する収納家具の組立方法の一実施要領について説明する。
図３に示すように、底板１を、床面(図示略)上に水平に載置した後、各側板２をほぼ垂直として、その下端部を底板１の側面に接近させ、図４に示すように、底板１の上面における位置決め孔１３と水平片１０のねじ挿通孔１２とが左右に整合するのを目視により確認しつつ、各側板２を底板１の側面に向かって移動させ、前後の有頭ピン８、８の各拡大頭部８ａを、底板１の各側片１ｄにおける前後の係合孔９における大径部９ａに嵌合し、次いで、各側板２を後下方にわずかに平行移動させて、各有頭ピン８の軸部８ｂを各係合孔９の小径部９ｂに係合させる。
【００６７】
このとき、各側板２の水平片１０は底板１の側部上面に当接するとともに、ねじ挿通孔１２が底板１のねじ孔１１に整合する。
この状態で、図５に示すように、止めねじ６５を、ねじ挿通孔１２を通して、底板１のねじ孔１１に螺合して締め付けることにより、水平片１０を底板１に固着する。
このとき、各側板２は、前後の有頭ピン８の軸部８ｂが各係合孔９の小径部９ｂに係合し、かつ水平片１０が底板１の上面に当接した状態で、止めねじ６５により固着されていることによって、底板１の側面に強固に固着される。
【００６８】
次に、図６に示すように、各中仕切６を、前後方向を向くほぼ垂直として、その下端の下向き突片３０を、底板１の対応する係合孔１６に、また下向き突片３１を、底板１の対応する係合孔１７にそれぞれ嵌合して、底板１上に立設する。
【００６９】
次に、図７に示すように、収容空間Ａ１を形成する左方の側板２と左方の中仕切６との間に、単位後面板３Ａを、その下端が上端より後方に位置するように斜めとして、前方から後方に移動させ、下方の係合片３６の下向片３６ｂが底板１の後端より後方に突出した後、基板３４の下端を中心として、単位後面板３Ａを後方に向けて起立するように回動させ、左右の取付部３５を、側板２の係合片２１および中仕切６の係合片２８内に下端部より漸次上方に亘って押し入れて行く。
【００７０】
その途中で、係止爪４１が係合片２１における折り返し片２１ｃの遊端および係合片２８における折り返し片２８ｃの遊端を通過する際に、抵抗力が発生するので、その際は、取付部３５における折曲片３５ｂの遊端に設けられた切欠き４２を目印として、その直前の基板３４の側部を後方に向けて強く押し込むか、または叩き込む。それによって、係止爪４１が係合片２１における折り返し片２１ｃの遊端および係合片２８における折り返し片２８ｃの遊端を通過して、単位後面板３Ａがほぼ垂直をなし、各取付部３５の折曲片３５ｂが係合片２１における折曲片２１ａの前面および係合片２８における折曲片２８ａの前面に当接すると、単位後面板３Ａの前後方向および左右方向の移動が阻止されるとともに、側板２と中仕切６とが互いに強固に結合される(図２０参照)。
また、係合片３６の後向片３６ａが底板１の上面に当接することにより、単位後面板３Ａの荷重が安定よく底板１に受止されるとともに、図９に示すように、係合片３６の下向片３６ｂが底板１の後面に当接することにより、後面板３Ａの下端が前方に移動するのが確実に阻止される。
【００７１】
なお、左方の中仕切６を底板１上に立設した後、それと左方の側板２との間に形成される収容空間Ａ１内に単位後面板３Ａを取付け、その後、右方の中仕切６を底板１上に立設した後、その左右の収容空間Ａ２、Ａ３に単位後面板３Ｂ、３Ｃを順次取付けてもよいし、２個の中仕切６、６を先に底板１上に立設した後、収容空間Ａ１、Ａ２、Ａ３に単位後面板３Ａ、３Ｂ、３Ｃを順次取付けるようにしもよい。
【００７２】
すべての単位後面板３Ａ、３Ｂ、３Ｃの取付作業が完了した後、天板４を、図１０に示すように、後下向き傾斜状態で、その後端部の左右の係合溝４９に、左右の側板２、２の内面に突設した有頭ピン２４の軸部２４ｂが係合し、かつ有頭ピン２４の拡大頭部２４ａが、図１１に示すように、天板４内に進入するようにして、後下方に移動しつつ、前部を徐々に下降させ、天板４が水平に近づく直前に、図１２に示すように、上框４４の下面に設けた各係合孔４７に、中仕切６の上向き突片３２をそれぞれ嵌合させる。
【００７３】
天板４が水平になるのと同時に、天板４の後端面が、単位後面板３Ａ、３Ｂ、３Ｃの上方の係合片３７における上向片３７ｂの前面に当接し、かつ図１３に示すように、天板４の前部の両側下面が、左右の側板２の縦框２０の上端に当接するとともに、天板４の左右のねじ挿通孔５０が、各側板２のねじ孔２５に整合する。
【００７４】
この状態で、図１３に示すように、止めねじ６６を、ねじ挿通孔５０を通して、側板２のねじ孔２５に螺合して締め付けることにより、天板４は、後部において係合溝４９が有頭ピン２４の軸部２４ｂに係合していることと、前部が止めねじ６６により螺着されていることとによって、側板２に対して、前後、左右、および上下のいずれの方向に対しても移動不能として強固に結合され、また、各中仕切６に対しても、後枠４５が切欠き３３に係合するとともに、後枠４５の後面に係合片３７の上向片３７ｂが当接し、かつ前部の係合孔４７に、上向き突片３２が嵌合していることにより、前後、左右、および上下のいずれの方向に対しても移動不能として、強固に結合される。
【００７５】
このように、この実施形態においては、わずかに４個の止めねじ６５、６６を締めつけるだけで、内部に中仕切６を設けた剛性の高い強固な筐体５を形成することができる。
【００７６】
各扉７は、図１４および図１５に示すように、下端のヒンジ軸５２を、底板１における対応する軸受孔１８に嵌合した後、上端のヒンジ軸５２を、内蔵したばねの付勢力に抗して、下方に押し込んだ状態で、扉７の上端を天板４の上框４４の下面に潜入させ、ヒンジ軸５２を天板４における対応する軸受孔４８に整合させて、内蔵したばねの付勢力により、軸受孔４８内に突入させることにより簡単に筐体５に装着することができる。
【００７７】
次に、上棚５８および下棚５９の取付要領について説明する。
図１８に示すように、上棚５８および下棚５９を、各扉７を取付ける前の(取付けた後でもよい)各収容空間Ａ１、Ａ２、Ａ３のそれぞれに前方より挿入する。このとき、各収容空間Ａ１、Ａ２、Ａ３の入口の幅は、上棚５８および下棚５９の横幅より狭いので、各上棚５８および下棚５９を、左右いずれかの方向に斜めに傾けて挿入するのがよい。
【００７８】
次いで、図１９に２点鎖線で示すように、上棚５８は、後部を下向き傾斜させた状態で、前端の下向き折曲部６３ａを、側板２における縦框２０の後面、または中仕切６における縦框２７の後面における、各単位後面板３Ａ、３Ｂ、３Ｃの上方の受け部３８とほぼ等高の位置に設けた係合孔６７に嵌合する。
【００７９】
次いで、上棚５８全体を若干前方に移動させた後、同じく図１９に２点鎖線で示すように、上棚５８の後端部が各単位後面板３Ａ、３Ｂ、３Ｃの受け部３８より上方に位置するように、上棚５８の後端部を上向き回動させる。
その後、上棚５８全体を若干後方に移動させつつ、上棚５８の後端部を下向き回動させ、各係止部６２におけるいずれかの下向き係止片６２ａを、受け部３８に上方より嵌合させる。
【００８０】
これにより、上棚５８は、後端部の下向き係止片６２ａが受け部３８に嵌合していることと、前向き突軸６３の前端部が係合孔６７に嵌合していることとにより、下方と、前後および左右の移動が阻止され、各収容空間Ａ１、Ａ２、Ａ３内に安定よく保持される。
【００８１】
下棚５９は、図１９に２点鎖線で示すように、後部を上向き傾斜させた状態で、前端の下向き折曲部６３ａを、側板２における縦框２０の後面、または中仕切６における縦框２７の後面における、各単位後面板３Ａ、３Ｂ、３Ｃの下方の受け部３８とほぼ等高の位置に設けた係合孔６８に嵌合する。
【００８２】
次いで、下棚５９の後端部を下向き回動させ、各係止部６２におけるいずれかの下向き係止片６２ａを、下方の受け部３８に上方より嵌合させる。
これにより、下棚５９も、上棚５８と同様に、各収容空間Ａ１、Ａ２、Ａ３内に安定よく保持される。
【００８３】
上棚５８の前端に下向き折曲部６３ａを設け、下棚５９の前端に上向き折曲部６３ｂを設けた理由は、各収容空間Ａ１、Ａ２、Ａ３における上棚５８の取付位置の上方には、上棚５８を大きく後上向き傾斜させるだけのスペースがなく、また下棚５９の取付位置の下方には、下棚５９を大きく後下向き傾斜させるだけのスペースがないからである。
【００８４】
次に、上棚５８および下棚５９における各係止部６２に、それぞれ２個の下向き係止片６２ａ、６２ａを設けた理由について説明する。
図２０に示すように、左右の収容空間Ａ１、Ａ３における側板２の化粧板１９と中仕切６の仕切板２６との間隔は、中間の収容空間Ａ２における左右の仕切板２６、２６の間隔より、各側板２における縦框２０の凹入段部２０ａより外側の部分の厚さ分だけ大となっている。これは、３枚の扉７の左右幅を同一とし、かつ閉止したときの左右の扉７の側端面を、側板２により覆うようにしてあるためである。
【００８５】
この収容空間Ａ１、Ａ２、Ａ３の左右幅の相違に伴って、左右の単位後面板３Ａ、３Ｃの左右幅を、中間の単位後面板３Ｂの左右幅より大とし、かつ生産性の向上を図るため、左右の単位後面板３Ａ、３Ｃ同士を、互いに同一形状としてある。
それに対して、各収容空間Ａ１、Ａ２、Ａ３に取付ける上棚５８および下棚５９の共通化を図るため、各係止部６２を、それぞれ２個の下向き係止片６２ａ、６２ａを備えるものとし、そのいずれかを、単位後面板３Ａ、３Ｂ、３Ｃの前面における受け部３８に選択的に嵌合係止させることにより、単位後面板３Ａ、３Ｂ、３Ｃにおける受け部３８の配置の相違を許容しうるようにしてある。
【００８６】
すなわち、図２０に示す例では、収容空間Ａ２、Ａ３における単位後面板３Ｂ、３Ｃには、上棚５８および下棚５９における各係止部６２の右方の下向き係止片６２ａを受け部３８に嵌合し、収容空間Ａ１における単位後面板３Ａには、上棚５８および下棚５９における各係止部６２の左方の下向き係止片６２ａを受け部３８に嵌合してある。
【００８７】
なお、収容空間Ａ１、Ａ２、Ａ３の左右幅をすべて同一とし、かつ単位後面板３Ａ、３Ｂ、３Ｃもすべて同一形状とすれば、上棚５８および下棚５９における各係止部６２を、１個の下向き係止片６２ａのみを有するものとすることができることはもちろんである。
また、図２０における中央の単位後面板３Ｂにおける左右の受け部３８、３８に、中央の上棚５８における左右の係止部６２、６２のそれぞれ内側の下向き係止片６２ａ、６２ａを係止させるような態様とすることもある。
【００８８】
本発明は、上記実施形態のみに限定されるものではなく、特許請求の範囲を逸脱することなく、例えば、次のような変形した態様での実施が可能である。
(１)  底板１の両側面に設ける係合孔９を、その上縁が水平をなすように、大径部９ａに対して小径部９ｂが後斜め上方を向くようにし、かつ側板２の水平片１０を底板１の上面に当接させたとき、有頭ピン８の拡大頭部８ａが大径部９ａに嵌合しうる高さに維持されるようにする。
このような構成によると、側板２の水平片１０を底板１の上面に当接させて、側板の荷重を底板１に受止させた状態で、水平片１０を底板１の上面に対して摺動させつつ、有頭ピン８の拡大頭部８ａを大径部９ａに嵌合させたり、軸部８ｂを小径部９ｂに係合させたりすることができ、組み立て作業性をさらによくすることができる。
(２)  底板１の側面に有頭ピン８を突設し、それが嵌合される係合孔９を、側板２の内面に設ける。
(３)  係合孔９を、だるま孔とする。
(４)  側板２の後端の係合片２１、および中仕切６の後端の係合片２８を、互いに左右方向に対向する折曲片２１ａ、２８ａのみとし、その前面に、各単位後面板３Ａ、３Ｂ、３Ｃの基板３４の側部とした取付部の後面が当接するようにする。
このような構成としても、下方の係合片３６における下向片３６ｂを底板１の後面に当接させ、かつ上方の係合片３７における上向片３７ｂを天板４の後面に当接させるだけで、各単位後面板３Ａ、３Ｂ、３Ｃは、筐体５から前後方向に外れることはない。
また、この状態で、各単位後面板３Ａ、３Ｂ、３Ｃの両側部の適所を、折曲片２１ａ、２８ａに、ねじ止め、接着、その他の手段により、適宜止着または係着させてもよい。
【産業上の利用可能性】
【００８９】
本発明は、ロッカーだけでなく、キャビネットその他の収納家具にも適用することができる。
【符号の説明】
【００９０】
Ａ１、Ａ２、Ａ３  収容空間
１  底板
１ａ上面板
１ｂ前片
１ｃ後片
１ｄ側片
２  側板
３  後面板
３Ａ、３Ｂ、３Ｃ  単位後面板
４  天板
５  筐体
６  中仕切
７  扉
８  有頭ピン
８ａ拡大頭部
８ｂ軸部
９  係合孔
９ａ大径部
９ｂ小径部
１０  水平片
１１  ねじ孔
１２  ねじ挿通孔
１３  位置決め孔(目印)
１４  アジャスタ
１５  作業孔
１６、１７  係合孔
１８  軸受孔
１９  化粧板
２０  縦框
２０ａ凹入段部
２１  係合片
２１ａ折曲片
２１ｂ前向片
２１ｃ折り返し片
２２  下枠
２３  上枠
２４  有頭ピン
２４ａ拡大頭部
２４ｂ軸部
２５  ねじ孔
２６  仕切板
２７  縦框
２８  係合片
２８ａ折曲片
２８ｂ前向片
２８ｃ折り返し片
２９  折曲片
３０、３１  下向き突片
３２  上向き突片
３３  切欠き
３４  基板
３５  取付部
３５ａ後向片
３５ｂ折曲片
３６  係合片
３６ａ後向片
３６ｂ下向片
３７  係合片
３７ａ後向片
３７ｂ上向片
３８  受け部
３９  切り込み
４０  弾性舌片
４１  係止爪
４２  切欠き
４３  水平板
４４  上框
４４ａ前片
４４ｂ下片
４４ｃ上向片
４５  後枠
４６  側枠
４７  係合孔
４８  軸受孔
４９  係合溝
５０  ねじ挿通孔
５１  配線挿通孔
５１ａキャップ
５２  ヒンジ軸
５３  把手
５４  施錠装置
５５  鏡
５６  傘立て
５７  しずく受け
５８  上棚(棚板)
５９  下棚(棚板)
６０  フレーム
６１  横桟
６２  係止部
６２ａ下向き係止片
６３  前向き突軸
６３ａ下向き折曲部
６３ｂ上向き折曲部
６４  ハンガー受け
６５、６６  止めねじ
６７、６８  係合孔
【図１】
2015150398.tif 000003
【図２】
2015150398.tif 000004
【図３】
2015150398.tif 000005
【図４】
2015150398.tif 000006
【図５】
2015150398.tif 000007
【図６】
2015150398.tif 000008
【図７】
2015150398.tif 000009
【図８】
2015150398.tif 000010
【図９】
2015150398.tif 000011
【図１０】
2015150398.tif 000012
【図１１】
2015150398.tif 000013
【図１２】
2015150398.tif 000014
【図１３】
2015150398.tif 000015
【図１４】
2015150398.tif 000016
【図１５】
2015150398.tif 000017
【図１６】
2015150398.tif 000018
【図１７】
2015150398.tif 000019
【図１８】
2015150398.tif 000020
【図１９】
2015150398.tif 000021
【図２０】
2015150398.tif 000022